(57)【特許請求の範囲】
【請求項１】
被接続端子に対して差し込みかつ引き抜き可能に電気的に接続可能な接続端子と、
前記接続端子に電気的に接続されるケーブルと、
少なくとも前記接続端子を保持する保持部材と、
前記接続端子の周囲に配されるとともに、前記接続端子の引き抜き方向にスライド可能に前記保持部材に支持される複数の押付部材と、
前記複数の押付部材のそれぞれに対応する複数のワイヤと、
前記保持部材に支持されるとともに、対応する前記ワイヤにより前記被接続端子から離れる方向に引っ張る力を受けたときに、対応する前記押付部材を前記被接続端子の周囲の壁面に対して押し付けて、前記接続端子を前記被接続端子から前記引き抜き方向に沿って引き抜くことを可能にする複数の機構と、
を備え、
前記機構は、力点にて対応する前記ワイヤによる前記被接続端子から離れる方向に引っ張る力を受けるとともに、支点にて前記保持部材に回動可能に支持され、かつ、作用点にて対応する前記押付部材を前記被接続端子の周囲の壁面に対して押し付けるように作用する梃子であり、
前記押付部材は、前記作用点で前記梃子に形成された溝に摺動可能に係合していることを特徴とするケーブル。
【請求項２】
前記保持部材は、前記ワイヤを摺動可能に支持することを特徴とする請求項１記載のケーブル。
【請求項３】
前記保持部材は、前記接続端子、及び、前記ケーブルの配線と絶縁された状態で前記ワイヤを摺動可能に支持することを特徴とする請求項２記載のケーブル。
【請求項４】
前記ワイヤを摺動可能に挿通するチューブをさらに備え、
前記保持部材は、前記チューブを保持することを特徴とする請求項１又は２記載のケーブル。
【請求項５】
前記ワイヤを摺動可能に挿通するチューブと、
前記チューブを前記ケーブルの周囲に結束するバンドと、
をさらに備えることを特徴とする請求項１又は２記載のケーブル。
【請求項６】
前記ワイヤは、摘んで前記被接続端子から離れる方向に引っ張る時の滑り止めとなる滑止部を有することを特徴とする請求項１乃至５のいずれか一に記載のケーブル。
【請求項７】
前記複数の押付部材は、前記接続端子の周囲にて互いに均等な間隔をおいて配されることを特徴とする請求項１乃至６のいずれか一に記載のケーブル。
【請求項８】
被接続端子に対して差し込みかつ引き抜き可能に電気的に接続可能な接続端子に電気的に接続されるケーブルの破損を防止するケーブル破損防止方法であって、
ワイヤを前記被接続端子から離れる方向に引っ張る工程と、
前記ワイヤの引っ張った力を機構で受けて前記機構によって押付部材を前記被接続端子の周囲の壁面に対して押し付ける工程と、
前記押付部材を前記被接続端子の周囲の壁面に対して押し付けることによって前記接続端子を前記被接続端子から前記引き抜き方向に沿って引き抜く工程と、
を含み、
前記機構は、力点にて対応する前記ワイヤによる前記被接続端子から離れる方向に引っ張る力を受けるとともに、支点にて前記保持部材に回動可能に支持され、かつ、作用点にて対応する前記押付部材を前記被接続端子の周囲の壁面に対して押し付けるように作用する梃子であり、
前記押付部材は、前記作用点で前記梃子に形成された溝に摺動可能に係合していることを特徴とするケーブル破損防止方法。
【発明の詳細な説明】
【技術分野】
【０００１】
本発明は、接続端子を有するケーブル及びその破損防止方法に関する。
【背景技術】
【０００２】
コンピュータ、通信機器等の電子機器のメンテナンス作業を行う時に、電子機器内に実装された電子基板を取り外す際、各種大小のケーブルの脱着を行う。電子機器の小型化により、ケーブルの大きさも小型化しているため、ケーブルの脱着の際に、ケーブルの一端に取り付けられたコネクタ、プラグ、ソケット等の接続端子部分を摘んで抜くのではなく、ケーブルを摘んで引っ張って接続端子をポート、ジャック、コンセント等の被接続端子から抜くようになっている。また、ケーブルを摘んで引っ張って接続端子を被接続端子から抜きやすくするために、バネを使ったノック式ボールペンに類似した機構や梃子を用いたものが知られている（例えば、特許文献１参照）。
【先行技術文献】
【特許文献】
【０００３】
【特許文献１】特開２００３−１３２９９９号公報
【発明の概要】
【発明が解決しようとする課題】
【０００４】
以下の分析は、本願発明者により与えられる。
【０００５】
しかしながら、ケーブルを摘んで引っ張ると、接続端子の差し込み方向に対して傾きを有する状態でケーブルを引っ張ってしまい、ケーブル内の電線の断線、接続端子におけるピン曲げや折れ等の破損が発生する場合があった。
【０００６】
本発明の主な課題は、接続端子を抜く際に破損を防止することができるケーブル及びその破損防止方法を提供することである。
【課題を解決するための手段】
【０００７】
本発明の第１の視点においては、ケーブルにおいて、被接続端子に対して差し込みかつ引き抜き可能に電気的に接続可能な接続端子と、前記接続端子に電気的に接続されるケーブルと、少なくとも前記接続端子を保持する保持部材と、前記接続端子の周囲に配されるとともに、前記接続端子の引き抜き方向にスライド可能に前記保持部材に支持される複数の押付部材と、前記複数の押付部材のそれぞれに対応する複数のワイヤと、前記保持部材に支持されるとともに、対応する前記ワイヤにより前記被接続端子から離れる方向に引っ張る力を受けたときに、対応する前記押付部材を前記被接続端子の周囲の壁面に対して押し付けて、前記接続端子を前記被接続端子から前記引き抜き方向に沿って引き抜くことを可能にする複数の機構と、を備えることを特徴とする。
前記第１の視点の変形として、ケーブルにおいて、被接続端子に対して差し込みかつ引き抜き可能に電気的に接続可能な接続端子と、前記接続端子に電気的に接続されるケーブルと、少なくとも前記接続端子を保持する保持部材と、前記接続端子の周囲に配されるとともに、前記接続端子の引き抜き方向にスライド可能に前記保持部材に支持される複数の押付部材と、前記複数の押付部材のそれぞれに対応する複数のワイヤと、前記保持部材に支持されるとともに、対応する前記ワイヤにより前記被接続端子から離れる方向に引っ張る力を受けたときに、対応する前記押付部材を前記被接続端子の周囲の壁面に対して押し付けて、前記接続端子を前記被接続端子から前記引き抜き方向に沿って引き抜くことを可能にする複数の機構と、を備え、前記機構は、力点にて対応する前記ワイヤによる前記被接続端子から離れる方向に引っ張る力を受けるとともに、支点にて前記保持部材に回動可能に支持され、かつ、作用点にて対応する前記押付部材を前記被接続端子の周囲の壁面に対して押し付けるように作用する梃子であり、前記押付部材は、前記作用点で前記梃子に形成された溝に摺動可能に係合していることを特徴とする。
【０００８】
本発明の第２の視点においては、被接続端子に対して差し込みかつ引き抜き可能に電気的に接続可能な接続端子に電気的に接続されるケーブルの破損を防止するケーブル破損防止方法であって、ワイヤを前記被接続端子から離れる方向に引っ張る工程と、前記ワイヤの引っ張った力を機構で受けて前記機構によって押付部材を前記被接続端子の周囲の壁面に対して押し付ける工程と、前記押付部材を前記被接続端子の周囲の壁面に対して押し付けることによって前記接続端子を前記被接続端子から前記引き抜き方向に沿って引き抜く工程と、を含むことを特徴とする。
前記第２の視点の変形として、被接続端子に対して差し込みかつ引き抜き可能に電気的に接続可能な接続端子に電気的に接続されるケーブルの破損を防止するケーブル破損防止方法であって、ワイヤを前記被接続端子から離れる方向に引っ張る工程と、前記ワイヤの引っ張った力を機構で受けて前記機構によって押付部材を前記被接続端子の周囲の壁面に対して押し付ける工程と、前記押付部材を前記被接続端子の周囲の壁面に対して押し付けることによって前記接続端子を前記被接続端子から前記引き抜き方向に沿って引き抜く工程と、を含み、前記機構は、力点にて対応する前記ワイヤによる前記被接続端子から離れる方向に引っ張る力を受けるとともに、支点にて前記保持部材に回動可能に支持され、かつ、作用点にて対応する前記押付部材を前記被接続端子の周囲の壁面に対して押し付けるように作用する梃子であり、前記押付部材は、前記作用点で前記梃子に形成された溝に摺動可能に係合していることを特徴とする。
【発明の効果】
【０００９】
本発明によれば、ワイヤを引っ張ることで被接続端子に対して接続端子を引き抜き方向に沿って引き抜くことができ、ケーブルの破損を防止することができる。
【図面の簡単な説明】
【００１０】
【図１】本発明の実施形態１に係るケーブルの構成を模式的に示した概略図である。
【図２】本発明の実施形態２に係るケーブルの構成を模式的に示した概略図である。
【図３】本発明の実施形態２に係るケーブルの構成を模式的に示した図２の（ａ）矢視Ａ及び（ｂ）矢視Ｂから見た平面図である。
【図４】本発明の実施形態２に係るケーブルの動作を示した模式図である。
【図５】本発明の実施形態３に係るケーブルの構成を模式的に示した概略図である。
【図６】本発明の実施形態４に係るケーブルの構成を模式的に示した概略図である。
【図７】本発明の実施形態５に係るケーブルの構成を模式的に示した概略図である。
【図８】本発明の実施形態６に係るケーブルの構成を模式的に示した概略図である。
【発明を実施するための形態】
【００１１】
［実施形態１］
本発明の実施形態１に係るケーブルについて図面を用いて説明する。図１は、本発明の実施形態１に係るケーブルの構成を模式的に示した概略図である。
【００１２】
ケーブル１は、一端に接続端子３を有する伝送部材である。ケーブル１は、接続端子３に電気的（光学的でも可）に接続される。ケーブル１は、主な構成部として、接続端子３と、保持部材４と、押付部材５と、ワイヤ６と、機構７と、を有する。
【００１３】
接続端子３は、被接続端子１０に対して差し込みかつ引き抜き可能に電気的に接続可能な端子である。保持部材４は、接続端子３を保持する部材である。押付部材５は、被接続端子１０の周囲の壁面１１に対して押し付ける部材である。押付部材５は、接続端子３の周囲に配されるとともに、接続端子３の引き抜き方向にスライド可能に保持部材４に支持される。押付部材５は、複数ある。ワイヤ６は、機構７を作動させるための線状の部材である。ワイヤ６は、所定の押付部材５及び機構７に対応する。ワイヤ６は、複数ある。機構７は、保持部材４に支持されるとともに、対応するワイヤ６により被接続端子１０から離れる方向に引っ張る力を受けたときに、対応する押付部材５を被接続端子１０の周囲の壁面１１に対して押し付ける機構である。機構７は、接続端子３を被接続端子１０から引き抜き方向に沿って引き抜くことを可能にする。機構７は、複数ある。
【００１４】
ケーブル１の動作（接続端子３の引き抜き；ケーブル破損防止方法）については、接続端子３が被接続端子１０に差し込まれた状態のときに、まず、ワイヤ６を被接続端子１０から離れる方向に引っ張り、ワイヤ６の引っ張った力を受けた機構７によって押付部材５を被接続端子１０の周囲の壁面１１に対して押し付ける。複数の押付部材５の押し付けによって接続端子３を被接続端子１０から引き抜き方向に沿って引き抜くことができる。
【００１５】
実施形態１によれば、ワイヤ６を引っ張ることで被接続端子１０に対して接続端子３を引き抜き方向に沿って引き抜くことができ、接続端子３を含むケーブル１の破損を防止することができる。
【００１６】
［実施形態２］
本発明の実施形態２に係るケーブルについて図面を用いて説明する。図２は、本発明の実施形態２に係るケーブルの構成を模式的に示した概略図である。図３は、本発明の実施形態２に係るケーブルの構成を模式的に示した図２の（ａ）矢視Ａ及び（ｂ）矢視Ｂから見た平面図である。
【００１７】
実施形態２は、実施形態１の変形例であり、機構（図１の７）として梃子２０を用いたものである。
【００１８】
ケーブル１は、一端に接続端子３を有する伝送部材である。ケーブル１は、複数の配線２を有し、配線２間を互いに絶縁して被覆する。ケーブル１は、例えば、電源プラグ付きの電源ケーブルであってもよい。配線２は、対応する接続端子３に電気的に接続される。ケーブル１は、主な構成部として、接続端子３と、保持部材４と、押付部材５と、ワイヤ６と、梃子２０と、を有する。
【００１９】
接続端子３は、被接続端子１０に対して差し込みかつ引き抜き可能に電気的に接続可能な端子である。接続端子３は、対応するケーブル１の配線２と電気的に接続されている。接続端子３は、押付部材５及びワイヤ６並びに梃子２０と接触しないように保持部材４に保持されている。
【００２０】
保持部材４は、複数の接続端子３を保持する部材である。保持部材４は、ケーブル１を保持するようにしてもよい。保持部材４は、押付部材５を接続端子３の引き抜き方向にスライド可能に支持する。保持部材４は、接続端子３、及び、ケーブル１の配線２と絶縁された状態でワイヤ６を摺動可能に支持する。保持部材４は、梃子２０の支点２２を回転可能に支持する。
【００２１】
押付部材５は、被接続端子１０の周囲の壁面１１に対して押し付ける部材である。押付部材５は、接続端子３の周囲に配されるとともに、接続端子３の引き抜き方向にスライド可能に保持部材４に支持される。押付部材５は、複数（２本以上）ある。各押付部材５は、接続端子３の周囲にて均等な間隔（周方向に等間隔）で配されることが望ましい。押付部材５が２個の場合は接続端子３（接続端子３が複数ある場合は複数の接続端子３のユニット）を挟んだ両側に配置し、押付部材５が３か所以上の場合は接続端子３（接続端子３が複数ある場合は複数の接続端子３のユニット）の周囲にて周方向に等間隔に配置することが好ましい（押付部材５が４か所の場合図３（ａ）参照）。押付部材５は、梃子２０の作用点２３で摺動可能（梃子２０に形成された溝で摺動可能）に係合している。
【００２２】
ワイヤ６は、梃子２０を作動させるための線状の部材である。ワイヤ６は、所定の押付部材５及び機構７に対応する。ワイヤ６は、保持部材４に摺動可能に支持される（図３（ｂ）参照）。また、ワイヤ６は、保持部材４の周囲で摺動可能に支持されていてもよい。ワイヤ６は、保持部材４に支持された部分で隙間やガタつきがあってもよい。また、ワイヤ６と保持部材４とが接触しうる部分には潤滑剤もしくは潤滑素材が存在してもよい。ワイヤ６は、梃子２０の力点２１に接続されている。ワイヤ６は、複数（２本以上）ある。ワイヤ６には、例えば、金属ワイヤ、紐を用いることができ、引張力に強い樹脂製の紐も用いることができる。ワイヤ６が導電性の場合、ケーブル１の配線２と接触しないように配置する必要がある。ワイヤ６を用いることで、ワイヤ６を摘んで引っ張った時の力を、ワイヤ６に沿って梃子２０の力点２１に伝えることができる。なお、ワイヤ６は、保持部材４に対し滑るので、ワイヤ６をしっかり摘んでワイヤ６に引張力をかける。ワイヤ６は、被接続端子１０から離れる方向に引っ張るが、接続端子３の差し込み方向と傾きを有する状態で引っ張ってもよい。
【００２３】
梃子２０は、力点２１にて力を受けることにより支点２２を中心に回転して作用点２３にて力点２１で受けた力に対する反対方向の力を伝達する部材である。梃子２０は、力点２１にて、対応するワイヤ６と接続されており、対応するワイヤ６による被接続端子１０から離れる方向（斜め方向でも可）に引っ張る力を受ける。梃子２０は、支点２２にて保持部材４に回動可能に支持される。梃子２０は、作用点２２にて対応する押付部材４を被接続端子１０の周囲の壁面１１に対して押し付けるように作用する。梃子２０は、複数ある。複数の梃子２０によって複数の押付部材５を押し付けることで、接続端子３を被接続端子１０から引き抜き方向に沿って引き抜くことが可能である。
【００２４】
次に、本発明の実施形態２に係るケーブルの動作（ケーブル破損防止方法）について図面を用いて説明する。図４は、本発明の実施形態２に係るケーブルの動作を示した模式図である。
【００２５】
接続端子３が被接続端子（図２の１０）に差し込まれた状態のときに、まず、ワイヤ６を被接続端子（図２の１０）から離れる方向（図の右側、右側であれば傾いた方向でも可）に引っ張り、ワイヤ６の引っ張った力を梃子２０の力点２１で受け、梃子２０が支点２２で回転（図４では逆時計回りに回転）し、梃子２０の作用点２３によって押付部材５を被接続端子（図２の１０）の周囲の壁面（図２の１１）に対して押し付け、この押し付けによって保持部材４が被接続端子(図２の１０)から離れる方向に移動し、保持部材４に保持された接続端子３が被接続端子１０から離れる方向に移動する。このとき、複数の押付部材５が被接続端子（図２の１０）の周囲の壁面（図２の１１）を均等に押し付けるので、接続端子３を被接続端子１０から引き抜き方向に沿って移動し、最終的には接続端子３を被接続端子１０から引き抜き方向に沿って引き抜くことができる。
【００２６】
実施形態２によれば、実施形態１と同様に、ワイヤ６を引っ張ることで被接続端子１０に対して接続端子３を引き抜き方向に沿って引き抜くことができ、接続端子３を含むケーブル１の破損を防止することができる。つまり、接続端子３の差し込み方向と傾きを有する状態で複数のワイヤ６を引っ張っても、接続端子３を被接続端子１０から引き抜き方向に沿って引き抜くことができるので、接続端子３の曲げ又は折れを防止することができる。また、ワイヤ６を引っ張るので、ケーブル１の配線２には引張力がかからず、配線２の断線は起こらない。
【００２７】
［実施形態３］
本発明の実施形態３に係るケーブルについて図面を用いて説明する。図５は、本発明の実施形態３に係るケーブルの構成を模式的に示した概略図である。
【００２８】
実施形態３は、実施形態２の変形例であり、機構（図１の７）として、梃子（図２の２０）の代わりに、アクチュエータ３０を用いたものである。
【００２９】
アクチュエータ３０は、対応するワイヤ６による被接続端子１０から離れる方向に引っ張る力を受けたときに、対応する押付部材５を被接続端子１０の周囲の壁面１１に対して押し付けるように作用する。アクチュエータ３０は、ワイヤ６の引っ張り操作により、アクチュエータ３０の駆動部（例えば、電磁石、電磁弁）への電力の供給の切り替えを行うスイッチ３１を有する。スイッチ３１には、例えば、プルスイッチを用いることができる。アクチュエータ３０には、対応するワイヤ６による被接続端子１０から離れる方向に引っ張る力を受けたときに、電磁力により対応する押付部材５を被接続端子１０の周囲の壁面１１に対して押し付けるように作用するソレノイドを用いることができる。また、アクチュエータ３０には、対応するワイヤ６による被接続端子１０から離れる方向に引っ張る力を受けたときに、流体圧力により対応する押付部材５を被接続端子１０の周囲の壁面１１に対して押し付けるように作用するシリンダ（例えば、エアシリンダ）を用いることができる。アクチュエータ３０は、複数ある。複数のアクチュエータ３０によって複数の押付部材５を押し付けることで、接続端子３を被接続端子１０から引き抜き方向に沿って引き抜くことが可能である。
【００３０】
その他の構成は、実施形態２と同様である。
【００３１】
ケーブル１の動作（接続端子３の引き抜き；ケーブル破損防止方法）については、接続端子３が被接続端子１０に差し込まれた状態のときに、まず、ワイヤ６を被接続端子１０から離れる方向に引っ張り、ワイヤ６の引っ張った力を受けたスイッチ３１がオンとなりアクチュエータ３０の駆動部が作動することによって押付部材５を被接続端子１０の周囲の壁面１１に対して押し付ける。複数の押付部材５の押し付けによって接続端子３を被接続端子１０から引き抜き方向に沿って引き抜くことができる。
【００３２】
実施形態３によれば、実施形態２と同様に、ワイヤ６を引っ張ることで被接続端子１０に対して接続端子３を引き抜き方向に沿って引き抜くことができ、接続端子３を含むケーブル１の破損を防止することができる。
【００３３】
［実施形態４］
本発明の実施形態４に係るケーブルについて図面を用いて説明する。図６は、本発明の実施形態４に係るケーブルの構成を模式的に示した概略図である。
【００３４】
実施形態４は、実施形態２の変形例であり、ワイヤ６を摺動可能に挿通するチューブ４０を設け、チューブ４０を保持部材４で保持したものである。チューブ４０は、保持部材４に対してワイヤ６が摺動する部分に設けられる。チューブ４０は、図６では保持部材４に埋め込まれているが、保持部材４の周囲に保持（接着、バンドによる結束でも可）されていてもよい。ワイヤ６は、チューブ４０内で隙間やガタつきがあってもよい。また、ワイヤ６とチューブ４０とが接触しうる部分には潤滑剤もしくは潤滑素材が存在してもよい。チューブ４０は、接続端子３、及び、ケーブル１の配線２と絶縁された状態でワイヤ６を摺動可能に挿通することが望ましい。その他の構成及び動作は、実施形態２と同様である。また、実施形態４は、実施形態３において適用してもよい。
【００３５】
実施形態４によれば、実施形態２と同様に、ワイヤ６を引っ張ることで被接続端子１０に対して接続端子３を引き抜き方向に沿って引き抜くことができ、接続端子３を含むケーブル１の破損を防止することができる。
【００３６】
［実施形態５］
本発明の実施形態５に係るケーブルについて図面を用いて説明する。図７は、本発明の実施形態５に係るケーブルの構成を模式的に示した概略図である。
【００３７】
実施形態５は、実施形態２の変形例であり、ワイヤ６を摺動可能に挿通するチューブ５０と、チューブ５０をケーブル１の周囲に結束するバンド５１（複数のバンドを用いても可）と、をさらに備えたものである。なお、チューブ５０は、バンド５１によってケーブル１の周囲に固定する場合に限らず、接着剤によってケーブル１の周囲に固定してもよい。ワイヤ６は、チューブ５０内で隙間やガタつきがあってもよい。また、ワイヤ６とチューブ５０とが接触しうる部分には潤滑剤もしくは潤滑素材が存在してもよい。バンド５１は、複数のチューブ５０を保持する溝が有ってもよい。その他の構成及び動作は、実施形態２と同様である。また、実施形態５は、実施形態３において適用してもよい。
【００３８】
実施形態５によれば、実施形態２と同様に、ワイヤ６を引っ張ることで被接続端子１０に対して接続端子３を引き抜き方向に沿って引き抜くことができ、接続端子３を含むケーブル１の破損を防止することができる。
【００３９】
［実施形態６］
本発明の実施形態６に係るケーブルについて図面を用いて説明する。図８は、本発明の実施形態６に係るケーブルの構成を模式的に示した概略図である。
【００４０】
実施形態６は、実施形態２の変形例であり、ワイヤ６おいてワイヤ６を接続端子３から離れる方向に引っ張る時の滑り止めとなる滑止部６０を設けたものである。その他の構成及び動作は、実施形態２と同様である。また、実施形態６は、実施形態３〜５において適用してもよい。
【００４１】
実施形態６によれば、実施形態２と同様に、ワイヤ６を引っ張ることで被接続端子１０に対して接続端子３を引き抜き方向に沿って引き抜くことができ、接続端子３を含むケーブル１の破損を防止することができる。
【００４２】
なお、本出願において図面参照符号を付している場合は、それらは、専ら理解を助けるためのものであり、図示の態様に限定することを意図するものではない。
【００４３】
（付記）
本発明の第１の視点においては、ケーブルにおいて、被接続端子に対して差し込みかつ引き抜き可能に電気的に接続可能な接続端子と、前記接続端子に電気的に接続されるケーブルと、少なくとも前記接続端子を保持する保持部材と、前記接続端子の周囲に配されるとともに、前記接続端子の引き抜き方向にスライド可能に前記保持部材に支持される複数の押付部材と、前記複数の押付部材のそれぞれに対応する複数のワイヤと、前記保持部材に支持されるとともに、対応する前記ワイヤにより前記被接続端子から離れる方向に引っ張る力を受けたときに、対応する前記押付部材を前記被接続端子の周囲の壁面に対して押し付けて、前記接続端子を前記被接続端子から前記引き抜き方向に沿って引き抜くことを可能にする複数の機構と、を備えることを特徴とする。
【００４４】
本発明の前記ケーブルにおいて、前記機構は、力点にて対応する前記ワイヤによる前記被接続端子から離れる方向に引っ張る力を受けるとともに、支点にて前記保持部材に回動可能に支持され、かつ、作用点にて対応する前記押付部材を前記被接続端子の周囲の壁面に対して押し付けるように作用する梃子であることが好ましい。
【００４５】
本発明の前記ケーブルにおいて、前記機構は、対応する前記ワイヤによる前記被接続端子から離れる方向に引っ張る力を受けたときに、対応する前記押付部材を前記被接続端子の周囲の壁面に対して押し付けるように作用するアクチュエータであることが好ましい。
【００４６】
本発明の前記ケーブルにおいて、前記アクチュエータは、対応する前記ワイヤによる前記被接続端子から離れる方向に引っ張る力を受けたときに、電磁力により対応する前記押付部材を前記被接続端子の周囲の壁面に対して押し付けるように作用するソレノイドであることが好ましい。
【００４７】
本発明の前記ケーブルにおいて、前記アクチュエータは、対応する前記ワイヤによる前記被接続端子から離れる方向に引っ張る力を受けたときに、流体圧力により対応する前記押付部材を前記被接続端子の周囲の壁面に対して押し付けるように作用するシリンダであることが好ましい。
【００４８】
本発明の前記ケーブルにおいて、前記保持部材は、前記ワイヤを摺動可能に支持することが好ましい。
【００４９】
本発明の前記ケーブルにおいて、前記保持部材は、前記接続端子、及び、前記ケーブルの配線と絶縁された状態で前記ワイヤを摺動可能に支持することが好ましい。
【００５０】
本発明の前記ケーブルにおいて、前記ワイヤを摺動可能に挿通するチューブをさらに備え、前記保持部材は、前記チューブを保持することが好ましい。
【００５１】
本発明の前記ケーブルにおいて、前記ワイヤを摺動可能に挿通するチューブと、前記チューブを前記ケーブルの周囲に結束するバンドと、をさらに備えることが好ましい。
【００５２】
本発明の前記ケーブルにおいて、前記ワイヤは、摘んで前記被接続端子から離れる方向に引っ張る時の滑り止めとなる滑止部を有することが好ましい。
【００５３】
本発明の前記ケーブルにおいて、前記複数の押付部材は、前記接続端子の周囲にて互いに均等な間隔をおいて配されることが好ましい。
【００５４】
本発明の第２の視点においては、被接続端子に対して差し込みかつ引き抜き可能に電気的に接続可能な接続端子に電気的に接続されるケーブルの破損を防止するケーブル破損防止方法であって、ワイヤを前記被接続端子から離れる方向に引っ張る工程と、前記ワイヤの引っ張った力を機構で受けて前記機構によって押付部材を前記被接続端子の周囲の壁面に対して押し付ける工程と、前記押付部材を前記被接続端子の周囲の壁面に対して押し付けることによって前記接続端子を前記被接続端子から前記引き抜き方向に沿って引き抜く工程と、を含むことを特徴とする。
【００５５】
なお、本発明の全開示（特許請求の範囲及び図面を含む）の枠内において、さらにその基本的技術思想に基づいて、実施形態ないし実施例の変更・調整が可能である。また、本発明の全開示の枠内において種々の開示要素（各請求項の各要素、各実施形態ないし実施例の各要素、各図面の各要素等を含む）の多様な組み合わせないし選択が可能である。すなわち、本発明は、請求の範囲及び図面を含む全開示、技術的思想にしたがって当業者であればなし得るであろう各種変形、修正を含むことは勿論である。また、本願に記載の数値及び数値範囲については、明記がなくともその任意の中間値、下位数値、及び、小範囲が記載されているものとみなされる。
【符号の説明】
【００５６】
１  ケーブル
２  配線
３  接続端子
４  保持部材
５  押付部材
６  ワイヤ
７  機構
１０  被接続端子
１１  壁面
１２  配線
１３  保持部材
２０  梃子
２１  力点
２２  支点
２３  作用点
３０  アクチュエータ
３１  スイッチ
４０  チューブ
５０  チューブ
５１  バンド
６０  滑止部
【図１】
0006049090.tif 000002
【図２】
0006049090.tif 000003
【図３】
0006049090.tif 000004
【図４】
0006049090.tif 000005
【図５】
0006049090.tif 000006
【図６】
0006049090.tif 000007
【図７】
0006049090.tif 000008
【図８】
0006049090.tif 000009